(57)【特許請求の範囲】
【請求項１】
コンピュータ画像を設定された水平／垂直画素数に基づく画像信号として変換して出力可能とされる画像処理手段と、
水平画素数と垂直画素数の比が４：３とされた標準解像度のコンピュータ画像の画像データと、該標準解像度のコンピュータ画像よりも水平画素数と垂直画素数が多くかつ水平画素数と垂直画素数の比が４：３とされた高解像度のコンピュータ画像の画像データとを書き込み可能なメモリと、を備え、
上記画像処理手段は、
上記標準解像度のコンピュータ画像を表示する場合には、上記標準解像度のコンピュータ画像の画像データを上記メモリに書き込み、書き込まれた画像データを第１の画素周波数で読み出し、
アスペクト比が１６：９のコンピュータ画像を表示する場合には、水平画素数と垂直画素数の比が１６：９とされ、かつ、垂直画素数が上記標準解像度のコンピュータ画像の垂直画素数と同一とされた横長のコンピュータ画像の画像データを上記メモリに書き込み、書き込まれた画像データを、第１の画素周波数よりも高い第２の画素周波数で読み出すようにする
ことを特徴とする画像処理装置。
【請求項２】
上記１６：９のアスペクト比に対応する水平／垂直画素数として、水平画素数を８４８画素とし、垂直画素数を４８０画素とすることを特徴とする請求項１に記載の画像処理装置。
【請求項３】
上記１６：９のアスペクト比に対応する水平／垂直画素数として、水平画素数を１０６０画素とし、垂直画素数を６００画素とすることを特徴とする請求項１に記載の画像処理装置。
【請求項４】
水平画素数と垂直画素数の比が４：３とされた標準解像度のコンピュータ画像の画像データと、該標準解像度のコンピュータ画像よりも水平画素数と垂直画素数が多くかつ水平画素数と垂直画素数の比が４：３とされた高解像度のコンピュータ画像の画像データとを書き込み可能なメモリを備えた画像処理方法において、
上記標準解像度のコンピュータ画像を表示する場合には、上記標準解像度のコンピュータ画像の画像データを上記メモリに書き込み、書き込まれた画像データを第１の画素周波数で読み出し、
アスペクト比が１６：９のコンピュータ画像を表示する場合には、水平画素数と垂直画素数の比が１６：９とされ、かつ、垂直画素数が上記標準解像度のコンピュータ画像の垂直画素数と同一とされた横長のコンピュータ画像の画像データを上記メモリに書き込み、書き込まれた画像データを、第１の画素周波数よりも高い第２の画素周波数で読み出すようにした
ことを特徴とする画像処理方法。
【請求項５】
上記１６：９のアスペクト比に対応する水平／垂直画素数として、水平画素数を８４８画素とし、垂直画素数を４８０画素とすることを特徴とする請求項４に記載の画像処理方法。
【請求項６】
上記１６：９のアスペクト比に対応する水平／垂直画素数として、水平画素数を１０６０画素とし、垂直画素数を６００画素とすることを特徴とする請求項４に記載の画像処理方法。
【発明の詳細な説明】
【０００１】
【発明の属する技術分野】
本発明は、例えば、設定した画像の垂直／水平画素数（解像度）に基づく表示が行われるように処理する画像処理装置及び画像処理方法に関するものである。
【０００２】
【従来の技術】
例えばテレビジョン受像機等においては、既に従前よりあるアスペクト比４：３の表示画面を備えるものに加え、いわゆるワイド画面といわれるアスペクト比１６：９の表示画面を備えるものが広く普及している。そして、これに対応するようにしてアスペクト比１６：９に対応する映像の放送や映像ソフトも多くなってきている。
【０００３】
また、近年におけるパーソナルコンピュータ等の普及を背景として、例えばコンピュータ装置の一形態として、コンピュータのＯＳ（Ｏｐｅｒａｔｉｎｇ  Ｓｙｓｔｅｍ）をベースとして、各種ディスクメディアに対応するディスクプレーヤやインターネット等の通信機能を備えたマルチメディア機器等も開発されてきている。
【０００４】
そして、上記のようなマルチメディア機器の画像出力を表示可能なモニタ装置として、例えば、少なくとも、映像としてコンピュータなどのＲＧＢ信号と、通常のテレビジョン方式に対応するコンポジット信号（及びＳ映像信号）などの映像信号を入力して表示を可能なように構成したものが開発されている。
このような、モニタ装置においては、例えばＮＴＳＣ方式等のテレビジョン方式による映像を表示することができると共に、上記のようなマルチメディア機器から出力されるＲＧＢ信号を入力して画像表示することができるように構成されている。
これにより、通常のテレビジョン方式の映像信号による放送メディアや映像メディアと、ＲＧＢ信号として供給されるパーソナルコンピュータやマルチメディア機器等の両者に対応する、マルチメディア対応のモニタ装置として構築されるものである
また、このようなマルチメディア対応のモニタ装置では、上述したようなワイド画面の普及に対応して、その表示画面としてアスペクト比１６：９に対応するサイズを採用したものが開発されている。
【０００５】
【発明が解決しようとする課題】
ところで、現状のパーソナルコンピュータ等においては、グラフィクス表示規格としてアスペクト比４：３に対応する解像度（水平画素数×垂直画素数に相当する）のみが存在し、アスペクト比１６：９に対応するグラフィクス表示規格は定められていない。
このため、例えば、前述したコンピュータ装置やコンピュータ用のＯＳをベースとするようなマルチメディア機器等においては、アスペクト比４：３の有効表示画面による画像出力のみが行われることになる。
そして、このようなコンピュータ装置やマルチメディア機器と、上記したアスペクト比１６：９の表示画面を備えるようなマルチメディア対応モニタ装置とによりシステムを組んだ場合、マルチメディア対応モニタ装置においては、アスペクト比１６：９のサイズの表示領域のうちアスペクト比４：３に対応するサイズの表示領域しか利用されないことになって、アスペクト比１６：９の表示領域を有効に利用することができない。
【０００６】
そこで、アスペクト比１６：９の表示領域を有効利用するために、例えば、アスペクト比４：３の表示画像について拡大して、アスペクト比１６：９の表示領域全体を利用して表示するということが考えられるが、この場合には、例えば画像が水平方向に延びるように歪んだり、上下方向において画像の一部が表示画面からはみ出して切れるなどして、本来の表示画像のイメージと異なってくるため根本的な解決にはならない。
【０００７】
【課題を解決するための手段】
そこで、本発明は上記した課題を考慮して、例えばコンピュータにおける分野においてアスペクト比１６：９に対応する解像度に基づいて表示が行われるようにし、また、パーソナルコンピュータやマルチメディア機器と、アスペクト比１６：９の表示画面を備えるようなモニタ装置とを組み合わせたシステムを組んだ場合には、その表示画面が有効に利用されるようにすることを目的とする。
また、アスペクト比１６：９に対応する解像度により画像を表示可能に構成するのに際して、できるだけ回路変更や回路規模等の拡大が抑えられることが好ましい。これにより、コスト等の抑制も図られることになる。
【０００８】
このため、コンピュータ画像を設定された水平／垂直画素数に基づく画像信号として変換して出力可能とされる画像処理手段と、水平画素数と垂直画素数の比が４：３とされた標準解像度のコンピュータ画像の画像データと、該標準解像度のコンピュータ画像よりも水平画素数と垂直画素数が多くかつ水平画素数と垂直画素数の比が４：３とされた高解像度のコンピュータ画像の画像データとを書き込み可能なメモリと、を備え、上記画像処理手段は、上記標準解像度のコンピュータ画像を表示する場合には、上記標準解像度のコンピュータ画像の画像データを上記メモリに書き込み、書き込まれた画像データを第１の画素周波数で読み出し、アスペクト比が１６：９のコンピュータ画像を表示する場合には、水平画素数と垂直画素数の比が１６：９とされ、かつ、垂直画素数が上記標準解像度のコンピュータ画像の垂直画素数と同一とされた横長のコンピュータ画像の画像データを上記メモリに書き込み、書き込まれた画像データを、第１の画素周波数よりも高い第２の画素周波数で読み出すように構成することとした。
【０００９】
また、画像処理方法として、水平画素数と垂直画素数の比が４：３とされた標準解像度のコンピュータ画像の画像データと、該標準解像度のコンピュータ画像よりも水平画素数と垂直画素数が多くかつ水平画素数と垂直画素数の比が４：３とされた高解像度のコンピュータ画像の画像データとを書き込み可能なメモリを備えた画像処理方法において、上記標準解像度のコンピュータ画像を表示する場合には、上記標準解像度のコンピュータ画像の画像データを上記メモリに書き込み、書き込まれた画像データを第１の画素周波数で読み出し、アスペクト比が１６：９のコンピュータ画像を表示する場合には、水平画素数と垂直画素数の比が１６：９とされ、かつ、垂直画素数が上記標準解像度のコンピュータ画像の垂直画素数と同一とされた横長のコンピュータ画像の画像データを上記メモリに書き込み、書き込まれた画像データを、第１の画素周波数よりも高い第２の画素周波数で読み出すようにすることとした。
【００１３】
上記構成によれば、例えばコンピュータグラフィックとしての画像について、１６：９のアスペクト比に対応する所定の水平／垂直画素数を規定することになり、これにより、１６：９のアスペクト比を有する有効表示画面によりコンピュータグラフィックの画像を表示することが可能となる。
【００１４】
【発明の実施の形態】
以下、図１〜図９を参照して本発明の実施の形態について説明する。
なお、以降の説明は次の順序で行うこととする。
＜１．本実施の形態としての表示システムの構成例＞
＜２．セットトップボックスの構成例＞
＜３．本実施の形態におけるワイドモード表示例＞
＜４．ノーマルモード／ワイドモード切換えのための処理動作＞
【００１５】
＜１．本実施の形態としての表示システムの構成例＞
図１は、本発明の実施の形態としての表示システムの一例を斜視図により示している。
この図に示すセットトップボックス１は、例えば、基本的にコンピュータ装置としての構成を採るものとされる。つまり、予めプログラミングされた所定のＯＳ上で、各種機能を実現するためのアプリケーションやソフトウェアが動作する構成を採っている。
そして、例えばＣＤ−ＲＯＭ、Ｖｉｄｅｏ  ＣＤ，Ｐｈｏｔｏ  ＣＤ，ＣＤ−ＤＡ（Ｄｉｇｉｔａｌ  Ａｕｄｉｏ）  などの既に知られている各種ディスクメディアをはじめ、ＣＤ−ｐｌｕｓなど将来的な普及が見込まれるディスクメディアなどについて、汎用的に再生が可能とされるディスクプレーヤとしての機能を備えるものとされる。これらディスクメディアを再生するには、セットトップボックス１に設けられたディスクトレイ１ａ上に再生すべきディスクを装填し、このディスクトレイ１ａを本体に収納させた状態で再生操作を行うようにされる。
また、本実施の形態のセットトップボックス１は電話線１ｄを介して電話回線と接続することによって、例えばインターネット等を利用したコンピュータ通信を行うための通信機能も備えている。
このように、セットトップボックス１は、少なくとも各種ディスクメディア及び通信機能に対応可能なマルチメディア機器として構成されている。
【００１６】
このようなセットトップボックス１から出力される画像／音声は、例えばモニタ装置２や図示しないオーディオシステムに接続することにより、ユーザが鑑賞したり視聴したりすることができる。また、セットトップボックス１としてはＧＵＩ（Ｇｒａｐｈｉｃａｌ  Ｕｓｅｒ  Ｉｎｔｅｒｆａｃｅ）が採用され、上記ディスクメディアの再生等のための操作やインターネット利用時の際にはグラフィックやアイコンなどをモニタ装置２に表示出力するようにされる。そして、ユーザはこのモニタ装置２の画面を見ながら、本体に設けられた操作パネルやリモートコントローラＲＣを操作することによって、セットトップボックス１に対する操作を行うことができる。なお、本体の操作パネルは、図に示す操作パネルカバー１ｃを開くことによって、本体のフロントパネルに表出するようになっている。また、本実施の形態においては、リモートコントローラＲＣは赤外線により送信信号を出力するものとされる。
【００１７】
この図に示すモニタ装置２は、例えば少なくとも通常のＡＶ機器の映像及びパーソナルコンピュータの映像について表示可能なマルチメディア対応とされている。つまり、少なくともＡＶ機器から出力される所定のテレビジョン方式による映像信号（例えばコンポジット信号又はＳ映像信号とされる）と、コンピュータ等の映像出力であるＲＧＢ信号を入力可能に構成されている。この場合には、セットトップボックス１の映像出力はＲＧＢ信号としてこのモニタ装置２に供給されるように接続されている。なお、モニタ装置２としてハイビジョン信号を入力して表示可能な構成を採るのであれば、例えば、ハイビジョン用の映像入力端子としては、（Ｙ，ＰＢ  ，ＰＲ  ）信号に対応するものが設けられる。
また、このモニタ装置２には、１６：９のアスペクト比に対応するサイズの表示画面２ａが採用される。更に、パーソナルコンピュータ系のグラフィック表示規格に対応して、対応可能な解像度に応じた偏向系の動作の切換えが可能なマルチスキャン機能が採用されている。
【００１８】
＜２．セットトップボックスの構成例＞
図２は、セットボックス１内部における要部の構成例を示すブロック図である。
この図に示すセットトップボックス１においては、前述したように各種ディスクメディアを再生するためのディスク再生装置１０が設けられる。このディスク再生装置１０により再生されたデータはバスラインを介して所要の機能回路部に供給される。
【００１９】
ビデオプロセッサ１１は、例えばＶＲＡＭを備えて構成されており、供給された映像データについて所要の信号処理を実行して、ＲＧＢ信号（この場合にはノンインタレースとされる）又はビデオ信号（この場合にはＲＧＢ信号に対するものとして、通常のテレビジョン方式に対応するコンポジット信号又はＳ映像信号をいうものとされる）として出力する。この場合、ビデオプロセッサ１１より出力されたＲＧＢ信号は、ＲＧＢ出力端子Ｔ４を介してモニタ装置２に供給される。また、ビデオ信号は映像出力端子Ｔ３に供給される。
【００２０】
このビデオプロセッサ１１の映像処理動作は、制御部１２により制御されるものであり、その映像処理の形態も起動されるアプリケーションやソフトウェアによってその都度異なってくるものである。
例えばメディア再生装置１０によってディスクから再生された画像データを表示出力するのであれば、この再生された画像データがバスラインを介してビデオプロセッサ１１に伝送される。ビデオプロセッサ１１では入力された画像データについて所要の信号処理を施して、ＲＧＢ信号又はビデオ信号として出力することになる。
【００２１】
また、ビデオプロセッサ１１においては、制御部１２の制御によってＧＵＩ画像に関する映像信号処理も行われるものとされる。
ＧＵＩ画像を表示するための動作としては、例えばＲＯＭ１３に格納されているＧＵＩ画像データのうちから、操作コマンドに応じて必要とされるＧＵＩ画像データを読み出してビデオプロセッサ１１に供給する。そして、ビデオプロセッサ１１により、表示画像領域の所要の位置に対してＧＵＩ画像が表示されるように映像処理を行うようにされる。ＧＵＩ画像の表示形態としては、表示領域上にＧＵＩ画像のみを表示する形態もあれば、何らかのメディアの画像と共にＧＵＩ画像を表示する形態もあるものとされる。
【００２２】
また、このセットトップボックス１には映像入力端子Ｔ１が設けられていることによりアナログ映像信号を入力可能とされている。映像入力端子Ｔ１を介して外部より入力されたアナログ映像信号はＡ／Ｄコンバータ１６によってデジタル信号に変換されて、ビデオプロセッサ１１に供給される。従って、ビデオプロセッサ１１においては、外部映像信号についても映像処理を実行して映像出力することが可能とされる。
【００２３】
制御部１２は、各機能回路部に対する所要の制御動作を実行する。この場合、制御部１２はマルチメディアに対応する構成が採られているものとされ、例えば映像信号処理、音声信号処理及び通信機能に関する制御処理に適合するように構築されている。また、本実施の形態においてはビデオプロセッサ１１を制御することにより、後述するようにしてアスペクト比４：３に対応する解像度とアスペクト比１６：９に対応する解像度との設定切換えを実行可能に構成されている。
【００２４】
ＲＯＭ１３は、当該セットトップボックス１に適用されるＯＳ、及びアプリケーションやソフトウェアのプログラムや、ＧＵＩ画像データが格納される領域とされる。また、ＲＡＭ（メモリ）１４には起動すべきアプリケーションやソフトウェアのデータや、演算処理データ等が格納される。
なお、アプリケーションやソフトウェアのプログラムは、ＲＯＭ１３から呼び出す以外にも、ＣＤ−ＲＯＭ等のメディア等から起動する場合もあり、このような場合には、例えばディスク再生装置１０によりＣＤ−ＲＯＭから読み出されたアプリケーションやソフトウェアのデータがＲＡＭ１４に保持されることになる。
【００２５】
本実施の形態のセットトップボックス１は前述のように通信機能を有するものとして構成されており、図のように、制御部１２と電話用モジュラージャックＴ５を介するようにしてモデム１７が内蔵されている。これに応じて、制御部１２においても通信機能に対応した構成が採られていると共に、例えばＲＯＭ１３にも通信機能を実現するためのソフトウェアが格納されているものとされる。
【００２６】
パネルマイクロコンピュータ（以下、単にパネルマイコンという）１８には、受光部１ｂにて受信された操作情報信号と、フロントパネルに設けられた操作部１９の操作情報信号が入力される。また、アスペクト比切換スイッチ２０におけるスイッチの切換状態も操作情報として入力されている。
パネルマイクロコンピュータ１８は、例えば、入力された操作信号を解析してそのコマンド内容に応じたコマンド信号を制御部１２に送信する。制御部１２では、入力されたコマンド信号に基づいて所要の制御処理を実行する。
【００２７】
ところで、上記したアスペクト比切換スイッチ２０は、例えば図３に示すようなスライドスイッチとして、本体の背面パネルに設けられているものとされる。例えば「ＭＯＮＩＴＯＲ  ＲＡＴＩＯ」として、アスペクト比切換スイッチ２０を「ＮＯＲＭＡＬ  ４：３」の側に切換えた場合には、後述するようにして、４：３のアスペクト比に対応する解像度（ノーマルモード）によりＲＧＢ信号が出力されることになる。また、「ＷＩＤＥ  １６：９」の側に切換えた場合には、１６：９（ワイドモード）に対応する解像度によりＲＧＢ信号が出力される。
【００２８】
また、本実施の形態のセットトップボックス１の本体にはデータ入出力端子Ｔ２が設けられており、インターフェイス１５を介してバスラインと接続されている。例えば、このデータ入出力端子Ｔ２を介してセットトップボックス１と、他のメディア再生装置、プリンタ、デジタル映像機器、及びハードディスクドライバなどをはじめとするデータストレージ装置とを接続して、データの伝送を行うことが可能である。
【００２９】
＜３．本実施の形態におけるワイドモード表示例＞
次に、図４〜図８を参照して、本実施の形態のワイドモード表示例について説明する。
本実施の形態のセットトップボックス１においては、前述したようにアスペクト比切換スイッチ２０によって、４：３のアスペクト比に対応する解像度に基づくＲＧＢ信号出力を行うノーマルモードと、１６：９のアスペクト比に対応する解像度に基づくＲＧＢ信号出力を行うワイドモードとの切換えが可能とされる。
ところで、以降の説明に関わるセットトップボックス１のグラフィック表示規格であるが、ノーマルモード（アスペクト比４：３に対応）については、従前からよく知られているＶＧＡ（Ｖｉｄｅｏ  Ｇｒａｐｈｉｃ  Ａｒｒａｙ）  及びＳＶＧＡ（Ｓｕｐｅｒ−ＶＧＡ）  を採用しているものとする。そして、本実施の形態の特徴となるワイドモード（アスペクト比１６：９に対応）については、後述するように、ＶＧＡよりも高解像度を有するものとして規定されたＳＶＧＡに基づいて、アスペクト比１６：９に対応する解像度（画素数）設定を行うものとされる。
【００３０】
図４は、本実施の形態におけるノーマルモードとワイドモードの仕様を示すものである。
ここでは、ノーマルモードとして、ＶＧＡ：６４０×４８０（＝水平画素数×垂直画素数）と、ＳＶＧＡ：８００×６００が挙げられている。
そして、ＶＧＡ：６４０×４８０の仕様としては、画素周波数：２５．１７５ＭＨｚ、水平走査周波数：３１．４６８８ＫＨｚ，垂直走査周波数：５９．９４０５Ｈｚとされている。
また、ＳＶＧＡ：８００×６００の仕様としては、画素周波数：４９．５００ＭＨｚ、水平走査周波数：４６．８７５ＫＨｚ，垂直走査周波数：７５．０００Ｈｚとされている。
【００３１】
また、本実施の形態のワイドモードとしては、図のように、解像度の異なる２つのモードを備えるものとする。そして、一方のワイドモードについては「ＷＩＤＥ−１」といい、他方のより高解像度のワイドモードについては「ＷＩＤＥ−２」ということにする。
そして、ＷＩＤＥ−１は８４８×４８０の解像度（水平画素数×垂直画素数）とされて、画素周波数は３３．３５７ＭＨｚとされている。また、水平走査周波数：３１．４６８８ＫＨｚ、垂直走査周波数：５９．９４０５Ｈｚとされている。
また、ＷＩＤＥ−２は１０６０×６００の解像度とされて、画素周波数は６５．５８８ＭＨｚとされている。また、水平走査周波数：４６．８７５ＫＨｚ、垂直走査周波数：７５．０００Ｈｚとされている。
【００３２】
上記仕様によれば、ＷＩＤＥ−１：８４８×４８０とＶＧＡ：６４０×４８０の組と、ＷＩＤＥ−２：１０６０×６００とＳＶＧＡ：８００×６００の組とで、それぞれ垂直解像度（垂直画素数）が同一とされている。つまり、ＷＩＤＥ−１：８４８×４８０は、ＶＧＡ：６４０×４８０と同レベルの解像度を有したうえで１６：９に対応する水平画素数が設定され、ＷＩＤＥ−２：１０６０×６００は、ＳＶＧＡ：８００×６００と同レベルの解像度を有したうえで、１６：９に対応する水平画素数が設定されていることになる。
【００３３】
また、画素周波数、水平走査周波数、及び垂直走査周波数についてみた場合、ＷＩＤＥ−１：８４８×４８０であれば、水平走査周波数及び垂直走査周波数はＶＧＡ：６４０×４８０と同仕様であり、水平方向の画素数に対応して画素周波数について異なっている。
同様に、ＷＩＤＥ−２：１０６０×６００であれば、ＳＶＧＡ：８００×６００と同仕様の水平走査周波数及び垂直走査周波数とされ、画素周波数が異なるものとして設定されている。
【００３４】
つまり、モニタ装置において、ワイドモードモード表示のためのスキャンを行う場合には、水平／垂直走査周波数はノーマルモード（ＶＧＡ又はＳＶＧＡ）と同一でよいことになる。
【００３５】
次に、上記ＷＩＤＥ−１及びＷＩＤＥ−２としての画素数（解像度）設定方法例について図５及び図６を参照して説明する。
ＳＶＧＡとしては、図３に示したＳＶＧＡ：８００×６００の他に、更に高解像度のＳＶＧＡ：１０２４×７６８、ＳＶＧＡ：１２８０×１０２４等が規定されている。
そこで本実施の形態においては、これら高解像度のＳＶＧＡ：１０２４×７６８、ＳＶＧＡ：１２８０×１０２４を利用して、ＷＩＤＥ−１及びＷＩＤＥ−２の画素数を設定するように構成される。なお、上記ＳＶＧＡ：１０２４×７６８、ＳＶＧＡ：１２８０×１０２４も４：３のアスペクト比に対応する水平／垂直画素数が設定されているものである。
【００３６】
図５は、ＷＩＤＥ−１の画素数（解像度）設定例として、ＳＶＧＡ：１０２４×７６８に基づく場合が示されている。
これによると、ＳＶＧＡ：１０２４×７６８としての画素データのマッピング上で、水平方向に８４８画素を取り、垂直方向に４８０画素を取ることにより、ＷＩＤＥ−１：８４８×４８０としての解像度を設定することができる。
【００３７】
また、ＷＩＤＥ−２の場合であれば、ＳＶＧＡ：１２８０×１０２４としての画素データのマッピング上で、水平方向に１０６０画素を取り、垂直方向に６００画素を取ることにより、ＷＩＤＥ−２：１０６０×６００としての解像度を設定することができる。
【００３８】
そして、実際にワイドモードとしての画像データを作成する場合には、ＷＩＤＥ−１の場合であれば、例えば、ビデオプロセッサ１１内のＶＲＡＭにおいてＳＶＧＡ：１０２４×７６８に対応する画像処理領域を形成したうえで、図５に示したＷＩＤＥ−１：８４８×４８０の領域のみに対してメモリの書き込み／読み出し処理を実行するようにして画像データ処理を行うことで、ＷＩＤＥ−１：８４８×４８０に基づく画像データが得られることになる。
ＷＩＤＥ−２の場合も、同様であり、ＶＲＡＭに対してＳＶＧＡ：１０２４×７６８に対応する画像処理領域を形成して、図５に示したＷＩＤＥ−２：１０６０×６００の領域のみを使用して画像データ処理を行うことになる。
【００３９】
そして、このようにして形成されたＷＩＤＥ−１：８４８×４８０、又はＷＩＤＥ−２：１０６０×６００としての画像データについて、ビデオプロセッサ１１が所要の信号処理を施して、例えば、図３に示した数値による水平／垂直走査周波数信号と共にＲＧＢ信号として出力することによって、モニタ装置２では１６：９のアスペクト比による画像表示が行われることになる。
【００４０】
このような、アスペクト比変換（解像度変更設定）方法によると、ＷＩＤＥ−１：８４８×４８０及びＷＩＤＥ−２：１０６０×６００は共にＳＶＧＡに基づいて設定されるため、既存のＶＧＡのための表示制御系において、図５及び図６に示したような映像処理動作が実現できるようにソフトウェアを構成すればよいことになる。つまり、本実施の形態においては、ハードウェアとして既存のＶＧＡ及びＳＶＧＡに対応する表示制御の構成をそのまま利用することが可能となる。
【００４１】
セットトップボックス１のＲＧＢ信号出力に基づいて、モニタ装置２に表示される画像は図７及び図８に示すものとなる。
図７には、ワイドモードによる表示例が示されている。この場合には、モニタ装置２における１６：９のサイズの表示画面２ａに対して、図のようにして、ＷＩＤＥ−１：８４８×４８０又はＷＩＤＥ−２：１０６０×６００による解像度の表示がおこなわれている。つまり、この状態では表示画面２ａにおける表示可能領域全体が有効表示画面とされて、アスペクト比１６：９に対応するサイズの画像が表示されているものである。
【００４２】
図８には、ノーマルモードによる表示例が示されている。この場合には、１６：９のサイズの表示画面２ａに対して、図のようにＶＧＡ：６４０×４８０又は、ＳＶＧＡ：８００×６００の解像度によるアスペクト比４：３の画像が表示されている。この場合には、例えば、表示画面２ａの表示可能領域において、アスペクト比４：３の画像の両側に非表示領域（無効表示領域）が存在することになる。
【００４３】
なお、このようにしてセットトップボックス１から出力されるＲＧＢ信号に基づいて画像表示するモニタ装置２としては、少なくともワイドモードであるＷＩＤＥ−１又はＷＩＤＥ−２の解像度以上の最高解像度を有する性能のものが必要となる。
【００４４】
また、セットトップボックス１において設定される、解像度に基づく表示モードの切換え形態としては各種考えられる。例えば、ノーマルモードとワイドモードの切換えとして、ＶＧＡ６４０×４８０とＷＩＤＥ−１：８４８×４８０についてのみ切換え可能とする、あるいはＳＶＧＡ：８００×６００とＷＩＤＥ−２：１０６０×６００とＳＶＧＡ：８００×６００のみについて切換え可能とすることが考えられる。
あるいは、ノーマルモードにおいては少なくともＶＧＡ６４０×４８０とＳＶＧＡ：８００×６００の選択切換えが可能なようにし、ワイドモードにおいてはＷＩＤＥ−１：８４８×４８０とＷＩＤＥ−２：１０６０×６００の選択切換えが可能なように構成することが考えられ、このほうが、ユーザにとっては解像度の選択肢が広がるという点では好ましい。
また、前述のようにＳＶＧＡとしては、ＳＶＧＡ：８００×６００の他にＳＶＧＡ：１０２４×７６８、ＳＶＧＡ：１２８０×１０２４も規定されていることから、ノーマルモードにおいてはこれらについても選択できるようにすることも当然可能である。ただし、これらの高解像度のＳＶＧＡに基づいて適正に表示するためには、モニタ装置２において、上記ＳＶＧＡの解像度をカバーするだけの最高解像度を有していることが要求される。
【００４５】
＜４．ノーマルモード／ワイドモード切換えのための処理動作＞
次に、ノーマルモード（ＶＧＡ，ＳＶＧＡ）／ワイドモード（ＷＩＤＥ−１，ＷＩＤＥ−２）の切換えのための制御部１２の処理動作について、図９のフローチャートを参照して説明する。なお、この場合には、ノーマルモードとワイドモードにおいてそれぞれ複数の解像度が選択可能な構成とした場合についての処理ルーチンを示している。
【００４６】
このルーチンにおいては、先ず、ステップＳ１０１においてアスペクト比切換スイッチ２０（図３参照）が、何れのモードに対して切換えられているかについて検出を行った後にステップＳ１０３に進むようにされる。
あるいは、本実施の形態においては、例えばアプリケーションによっては、特定のアスペクト比や解像度を要求するものがあるとして、ステップＳ１０１の代わりに、ステップＳ１０２において、アプリケーションからのアスペクト比又は解像度の変更を要求する信号を受信した場合にも、ステップＳ１０３に進むように処理が行われる。
【００４７】
ステップＳ１０３においては、現在同一モード内における解像度としてどの解像度が選択されているかについて識別を行う。同一モード内における解像度の選択は、例えばドライバソフトウェア上などでＧＵＩによりユーザが選択可能に構成することができる。
次のステップＳ１０４においては、上記ステップＳ１０１又はＳ１０２、及びＳ１０３により決定される表示モード（ノーマルモード／ワイドモード）及び解像度の種類に基づいて、水平画素数及び垂直画素数についての設定変更のための処理を実行する。例えば、ノーマルモードからワイドモードに切換えるのであれば、図５あるいは図６にて説明した画像データ処理を実行するための制御が行われることになる。
【００４８】
また、ステップＳ１０５においては、新たに設定される解像度に応じて画素周波数（図４参照）の変更設定を行う処理が実行される。これにより、以降の表示制御においては、このステップで設定された画素周波数に基づいて、ＶＲＡＭ上での画像データ処理及びＲＧＢ信号への変換処理等が実行される。
続くステップＳ１０６においては、ステップＳ１０４において設定変更された水平／垂直画素数に基づいて表示する際に、表示画像の水平位置及び垂直位置が偏らないようにして適正な位置に表示されるように処理を行うステップとされる。つまり、最終的に画像データに基づいて得られるＲＧＢ信号と垂直／水平同期信号との関係が適正となるように設定処理を実行する。
【００４９】
また、ステップＳ１０７においては、例えば、これまでの処理動作により設定された解像度に対応するドローイング（描画）処理等が行われるように、例えばＯＳ上での所要のパラメータの設定を変更するための処理が実行される。あるいは、場合によってはアプリケーションが直接ビデオプロセッサ１１を制御してドローイング処理を実行する場合も考えられることから、このような場合には、ステップＳ１０７に代わるステップＳ１０８の処理によって、アプリケーション側において変更された解像度に対応する設定変更が行われるように処理を実行することになる。
ステップＳ１０７又はステップＳ１０８の処理が終了した後は、例えばメインのルーチンに戻るようにされる。
【００５０】
なお、これまで説明してきた実施の形態としては、グラフィック表示規格としてＶＧＡに基づいて、アスペクト比１６：９の画像に対応する水平／垂直画素数（解像度）を設定するように構成されているが、他のグラフィック表示規格に基づいてアアスペクト比１６：９の画像に対応する水平／垂直画素数を設定しても構わない。
また、１６：９のアスペクト比に対応する水平／垂直画素数も、実施の形態において説明した、ＷＩＤＥ−１：８４８×４８０とＷＩＤＥ−２：１０６０×６００のみに限定されるものではなく、場合によってはワイドモード表示として更に高解像度のものを規定することも可能である。
【００５１】
また、上記実施の形態においては、本発明による画像処理装置を備える機器としてセットトップボックス１が挙げられているが、これに限定されるものではなく、例えば通常のパーソナルコンピュータをはじめ、コンピュータ装置の構成を備えるゲーム機などの他の機器についても適用が可能である。
【００５２】
【発明の効果】
以上説明したように本発明は、例えばセットトップボックスやパーソナルコンピュータなどのコンピュータ装置の分野においてアスペクト比１６：９に対応する解像度（垂直／水平画素数）を規定するものであり、これによって、コンピュータ画像をアスペクト比１６：９に対応する有効画面により表示できることになる。
そして、例えばＲＧＢ入力等を備えることによりコンピュータ画像を表示可能なディスプレイ装置として、アスペクト比１６：９に対応する表示画面を備えたものであれば、コンピュータ画像を表示する場合にも、このアスペクト比１６：９の表示画面全体が表示領域として有効に利用されることになるという効果を有することになる。
【００５３】
また、本発明ではアスペクト比１６：９に対応する解像度を設定するのに、例えば、アスペクト比４：３に対応する所定の高解像度に相当する垂直／水平画素数の領域から、所要のアスペクト比１６：９に対応する垂直／水平画素数を抽出するようにしている。従って、例えば、元となるアスペクト比４：３に対応する所定の高解像度として、ＶＧＡやＳＶＧＡなどの規格を利用すれば、例えば既存のＶＧＡ、ＳＶＧＡ対応のハードウェアを利用した上で、ソフトウェアのみによってアスペクト比１６：９に対応する解像度を設定することが可能となるため、回路の変更、大規模化等の必要がなくなり、それだけ製品の低コスト化も図られるという効果を有している。
【図面の簡単な説明】
【図１】本発明の実施の形態としての表示システムの構成例を示す斜視図である。
【図２】セットトップボックスの内部構成例を示すブロック図である。
【図３】アスペクト比切換スイッチを示す平面図である。
【図４】ＶＧＡ、ＳＶＧＡ、及び本実施の形態としての２種類のワイドモードの仕様を示す説明図である。
【図５】ワイドモードとしての解像度を設定するための処理を概念的に示す説明図である。
【図６】ワイドモードとしての解像度を設定するための処理を概念的に示す説明図である。
【図７】セットトップボックスのＲＧＢ信号出力に基づく画像の表示形態例を示す説明図である。
【図８】セットトップボックスのＲＧＢ信号出力に基づく画像の表示形態例を示す説明図である。
【図９】ノーマルモードとワイドモードの切換え処理を示すフローチャートである。
【符号の説明】
１  セットトップボックス、２  モニタ装置、  ２ａ  表示画面、１０  ディスク再生装置、１１  ビデオプロセッサ、１２  制御部、２０  アスペクト比切換スイッチ、
【図１】
0003622814.tif 000002
【図２】
0003622814.tif 000003
【図３】
0003622814.tif 000004
【図４】
0003622814.tif 000005
【図５】
0003622814.tif 000006
【図６】
0003622814.tif 000007
【図７】
0003622814.tif 000008
【図８】
0003622814.tif 000009
【図９】
0003622814.tif 000010